(57)【特許請求の範囲】
【請求項１】
オスコネクタの接続に伴い、天面壁の開口を閉塞する弁体が押し込まれて流路が形成されるオスコネクタ接続部を備えると共に、オスコネクタ側係止部との係合により前記オスコネクタの引き抜けを防止する医療用コネクタ側係止部を備えた医療用コネクタのための消毒キャップにおいて、
前記消毒キャップは、キャップ本体と、該キャップ本体に保持された清拭体とを備え、
前記キャップ本体は、前記医療用コネクタ側係止部との係合により前記キャップ本体の引き抜けを防止するキャップ側係止部を有し、
前記清拭体は、消毒液を含浸させる含浸部を有すると共に、前記キャップ側係止部と前記医療用コネクタ側係止部とが係合した状態で、前記オスコネクタ接続部における、前記天面壁の表面、前記開口の内周面、及び前記弁体の表面のうちの少なくともいずれかを前記含浸部で清拭するように前記キャップ本体に対して移動可能であり、
前記清拭体は、前記キャップ本体に設けられた貫通口を貫通する連結部を介して前記含浸部と連結された操作部を有することを特徴とする消毒キャップ。
【請求項２】
前記清拭体は、前記キャップ側係止部と前記医療用コネクタ側係止部とが係合した状態で、前記キャップ本体に対して、前記オスコネクタ接続部の軸線の周りに回動可能である、請求項１に記載の消毒キャップ。
【請求項３】
前記清拭体は、前記キャップ側係止部と前記医療用コネクタ側係止部とが係合した状態で、前記キャップ本体に対して、前記オスコネクタ接続部の軸線に沿って移動可能である、請求項１又は２に記載の消毒キャップ。
【請求項４】
前記清拭体は、前記キャップ側係止部と前記医療用コネクタ側係止部とが係合した状態で、少なくとも前記開口の内周面を前記含浸部で清拭するように前記キャップ本体に対して移動可能である、請求項１〜３のいずれか一項に記載の消毒キャップ。
【発明の詳細な説明】
【技術分野】
【０００１】
本発明は、オスコネクタの接続に伴い、天面壁の開口を閉塞する弁体が押し込まれて流路が形成されるオスコネクタ接続部を備えると共に、オスコネクタ側係止部との係合によりオスコネクタの引き抜けを防止する医療用コネクタ側係止部を備えた医療用コネクタのための消毒キャップに関し、特に、安定した十分な清拭を可能にしようとするものである。
【背景技術】
【０００２】
従来より、前述したような医療用コネクタを使用する際には、使用に先立ち、オスコネクタ接続部における、天面壁の表面や、天面壁の開口の内周面や、弁体の表面などの消毒を必要とする部分を、指で摘んだアルコール綿で清拭するのが一般的である。しかしながら、このような要領で清拭する場合には、その手技の巧拙により、消毒が不十分となるおそれがある。
【０００３】
また、このような清拭に用いる消毒キャップが知られている。例えば、特許文献１には、キャップ本体の裏面に消毒液の含浸部を備えた消毒キャップが記載されている。しかしながら、このような消毒キャップでは、キャップ本体を医療用コネクタのオスコネクタ接続部に押付け、その状態を保持しながら回転させて清拭する必要があり、やはり、その手技の巧拙により、消毒が不十分となるおそれがあった。
【０００４】
また、特許文献２には、キャップ本体の裏面に消毒液の含浸部を備えると共に、キャップ本体の周壁内周面に、医療用コネクタ側雄ねじ部に螺合するキャップ側雌ねじ部を備えた消毒キャップが記載されている。しかしながら、このような消毒キャップでは、キャップ本体を医療用コネクタに取付けることで、消毒液の含浸部が医療用コネクタのオスコネクタ接続部に押付けられるので、安定して或る程度の消毒は可能となるが、雑菌や汚れの十分な拭き取りは困難であった。
【先行技術文献】
【特許文献】
【０００５】
【特許文献１】米国特許第８６２８５０１号（Ｂ２）明細書
【特許文献２】米国特許第８７２１６２７号（Ｂ２）明細書
【発明の概要】
【発明が解決しようとする課題】
【０００６】
本発明は、前記の現状に鑑み開発されたもので、安定した十分な清拭を可能にする消毒キャップを提供することを目的とする。
【課題を解決するための手段】
【０００７】
本発明の消毒キャップは、オスコネクタの接続に伴い、天面壁の開口を閉塞する弁体が押し込まれて流路が形成されるオスコネクタ接続部を備えると共に、オスコネクタ側係止部との係合により前記オスコネクタの引き抜けを防止する医療用コネクタ側係止部を備えた医療用コネクタのための消毒キャップにおいて、前記消毒キャップは、キャップ本体と、該キャップ本体に保持された清拭体とを備え、前記キャップ本体は、前記医療用コネクタ側係止部との係合により前記キャップ本体の引き抜けを防止するキャップ側係止部を有し、前記清拭体は、消毒液を含浸させる含浸部を有すると共に、前記キャップ側係止部と前記医療用コネクタ側係止部とが係合した状態で、前記オスコネクタ接続部における、前記天面壁の表面、前記開口の内周面、及び前記弁体の表面のうちの少なくともいずれかを前記含浸部で清拭するように前記キャップ本体に対して移動可能であり、前記清拭体は、前記キャップ本体に設けられた貫通口を貫通する連結部を介して前記含浸部と連結された操作部を有することを特徴とする。
【０００８】
ここで、本発明の消毒キャップは、前記清拭体は、前記キャップ側係止部と前記医療用コネクタ側係止部とが係合した状態で、前記キャップ本体に対して、前記オスコネクタ接続部の軸線の周りに回動可能であることが好ましい。
【０００９】
また、本発明の消毒キャップは、前記清拭体は、前記キャップ側係止部と前記医療用コネクタ側係止部とが係合した状態で、前記キャップ本体に対して、前記オスコネクタ接続部の軸線に沿って移動可能であることが好ましい。
【００１０】
また、本発明の消毒キャップは、前記清拭体は、前記キャップ側係止部と前記医療用コネクタ側係止部とが係合した状態で、少なくとも前記開口の内周面を前記含浸部で清拭するように前記キャップ本体に対して移動可能であることが好ましい。
【発明の効果】
【００１２】
本発明によれば、キャップ本体のキャップ側係止部を医療用コネクタ側係止部に係合させてキャップ本体の引き抜けを防止すると共に、この状態で、清拭体をキャップ本体に対して移動させて、オスコネクタ接続部における、天面壁の表面、天面壁の開口の内周面、及び弁体の表面のうちの少なくともいずれかを含浸部で清拭することができる。
【００１３】
したがって、本発明によれば、安定した十分な清拭を可能にする消毒キャップを提供することができる。
【図面の簡単な説明】
【００１４】
【図１】本発明の一実施形態に係る消毒キャップを医療用コネクタの一例に取付けた状態を示す縦断面図である。
【図２】図１の消毒キャップ及び医療用コネクタの斜視図である。
【図３】図１の医療用コネクタの斜視図である。
【図４】図１の消毒キャップにおけるキャップ本体の斜視図である。
【図５】図１の消毒キャップにおける清拭体の斜視図である。
【図６】本発明の他の実施形態に係る消毒キャップを医療用コネクタの他の例に取付けた状態を示す縦断面図である。
【図７】図６の消毒キャップの斜視図である。
【図８】図６の消毒キャップにおける清拭体の斜視図である。
【図９】図６の消毒キャップの清拭時の状態を示す縦断面図である。
【発明を実施するための形態】
【００１５】
以下、図１〜図５を参照して、本発明の一実施形態に係る消毒キャップについて詳細に例示説明する。
なお、本明細書において、上下方向とは、消毒キャップを医療用コネクタに取付けた状態で、医療用コネクタのオスコネクタ接続部の軸線に沿う方向を意味し、上方は医療用コネクタの操作部が配置される側（すなわち、図１及び図６における上方）を意味し、下方はその反対側を意味するものとする。
【００１６】
図１及び図２に示すように、本実施形態に係る消毒キャップ１は、キャップ本体２０と、該キャップ本体２０に保持された清拭体３０とを備えており、図３に示すような医療用コネクタ４０を清拭するために用いられるものである。なお、本例では、医療用コネクタ４０は、３つの接続部と流路切替え部とを有する三方活栓として構成されているが、医療用コネクタ４０は、このような構成に限られず、例えば、３つの接続部を有するが流路切替え部を有さないＴ型ポートや、後掲図６に示すような２つの接続部を有する混注プラグなどとして構成することも可能である。
【００１７】
医療用コネクタ４０は、オスコネクタ（図示省略）の接続に伴い、天面壁４１の開口４２を閉塞する弁体４３が押し込まれて流路が形成されるオスコネクタ接続部４４を備えると共に、オスコネクタ側係止部との係合により前記オスコネクタの引き抜けを防止する医療用コネクタ側係止部を備えている。
【００１８】
より具体的には、本実施形態に係る消毒キャップ１が対象とする医療用コネクタ４０は、医療用コネクタ側係止部として、図３に示したように、オスコネクタ接続部４４の外周面から外周側に向けて突出する一組（本例では２つ）の突起４５を備えている。そして、キャップ本体２０は、図４に示すように、円筒状の周壁２１の内周面に、一組の突起４５を軸方向に通過させる軸方向溝２２と、該軸方向溝２２に繋がり一組の突起４５を周方向に通過させ、一組の突起４５との係合によりキャップ本体２０の引き抜けを防止するキャップ側係止部としての周方向溝２３とを有している。
【００１９】
また、キャップ本体２０は、周壁２１の上端から内周側に延びる中間フランジ２４と、該中間フランジ２４の内周縁から立ち上がる円筒状の環状壁２５と、該環状壁２５の上端から内周側に延びると共に中央に円形の貫通口２６を有する天壁２７と、該天壁２７の内周縁から立ち上がる円筒状の筒壁２８とを有している。なお、キャップ本体２０は、例えば合成樹脂などの剛性材によって構成されている。
【００２０】
清拭体３０は、図１及び図５に示すように、消毒液を含浸させる含浸部としての含浸材３１と、キャップ本体２０に設けられた貫通口２６を貫通する連結部３２と、該連結部３２を介して含浸部（本例では含浸材３１）と連結された操作部３３とを有している。含浸材３１は、例えばスポンジや不織布などによって構成されている。また、連結部３２及び操作部３３は、例えば合成樹脂などの剛性材によって構成されている。含浸材３１は、円板状のフランジ３４として構成された連結部３２の一端に例えば接着などによって取り付けられている。また、含浸材３１は、連結部３２の回転に対する追随性を高めて、清拭の効果を向上するために、フランジ３４の下面に突設された複数（本例では４本）の突起３５がそれぞれ挿入された複数の凹部３６を有している。
【００２１】
連結部３２の他端に連結された操作部３３は、円筒状の連結部３２よりも大径をなす円板状をなしており、清拭の際には、清拭体３０を回転させるために指で摘んで回転操作されるようになっている。なお、連結部３２は、円筒状に代えて、例えば円柱状や多角柱状などとしてもよい。また、消毒キャップ１は、その生産性などを考慮し、清拭体３０及びキャップ本体２０（前掲図２参照）のそれぞれの部材構成を適宜定めることができる。すなわち、連結部３２が貫通口２６を貫通することで清拭体３０がキャップ本体２０に保持されるように、例えば、キャップ本体２０を２つの半周領域部分からなる２部材で構成し、清拭体３０を組み付けてから、これら２つの半周領域部材を互いに接着したり、嵌合により一体化させたりすることができる。或いは、清拭体３０の連結部３２と操作部３３とを別部材で構成し、連結部３２を貫通口２６に通してから、連結部３２に操作部３３を接着したり、嵌合により一体化させたりしてもよい。
【００２２】
かかる構成になる本実施形態に係る消毒キャップ１によれば、図１に示したように、キャップ本体２０のキャップ側係止部（本例では周方向溝２３）を医療用コネクタ側係止部（本例では一組の突起４５）に係合させてキャップ本体２０の引き抜けを防止すると共に、この状態で、清拭体３０をキャップ本体２０に対して移動させて、オスコネクタ接続部４４における、天面壁４１の表面及び弁体４３の表面を含浸部（本例では含浸材３１）で清拭することができる。したがって、消毒キャップ１によれば、安定した十分な清拭を可能にすることができる。
【００２３】
また、消毒キャップ１によれば、清拭体３０は、キャップ側係止部（本例では周方向溝２３）と医療用コネクタ側係止部（本例では一組の突起４５）とが係合した状態で、キャップ本体２０に対して、オスコネクタ接続部４４の軸線Ｏの周りに回動可能になっているため、清拭体３０の回転による効率的な雑菌や汚れの拭き取りを可能にすることができる。
【００２４】
また、消毒キャップ１によれば、清拭体３０は、キャップ側係止部（本例では周方向溝２３）と医療用コネクタ側係止部（本例では一組の突起４５）とが係合した状態で、キャップ本体２０に対して、オスコネクタ接続部４４の軸線Ｏに沿って移動可能になっているため、清拭体３０をオスコネクタ接続部４４に押付けることで、より確実な雑菌や汚れの拭き取りを可能にすることができる。
【００２５】
さらに、消毒キャップ１によれば、清拭体３０は、キャップ本体２０に設けられた貫通口２６を貫通する連結部３２を介して含浸部（本例では含浸材３１）と連結された操作部３３を有しているため、清拭のために操作部３３を操作する際に、清拭体３０の移動範囲を貫通口２６によって規制することができ、より安定した清拭を可能にすることができる。
【００２６】
次に、図６〜図９を参照して、本発明の他の実施形態に係る消毒キャップ２について詳細に例示説明する。
図６に示すように、本実施形態に係る消毒キャップ２は、キャップ本体５０と、該キャップ本体５０に保持された清拭体６０とを備えており、図示したような医療用コネクタ７０を清拭するために用いられるものである。なお、本例では、医療用コネクタ７０は、２つの接続部を有する混注プラグとして構成されているが、医療用コネクタ７０は、このような構成に限られず、例えば、前掲図１に示したような三方活栓や、Ｔ型ポートなどとして構成することも可能である。
【００２７】
医療用コネクタ７０は、オスコネクタ（図示省略）の接続に伴い、天面壁７１の開口７２を閉塞する弁体７３が押し込まれて流路が形成されるオスコネクタ接続部７４を備えると共に、オスコネクタ側係止部との係合により前記オスコネクタの引き抜けを防止する医療用コネクタ側係止部を備えている。
【００２８】
より具体的には、本実施形態に係る消毒キャップ２が対象とする医療用コネクタ７０は、医療用コネクタ側係止部として、図６に示したように、オスコネクタ接続部７４の外周面に形成されたルアーロック用の雄ねじ７５を備えている。そして、キャップ本体５０は、円筒状の周壁５１の内周面に、雄ねじ７５との係合によりキャップ本体５０の引き抜けを防止するキャップ側係止部としてのルアーロック用の雌ねじ５２を有している。
【００２９】
また、キャップ本体５０は、円筒状の周壁５１の上端内周面に内周側に突出する内向き環状突起５３を有しており、該内向き環状突起５３の表面によって円形の貫通口５４が形成されている。なお、キャップ本体５０は、例えば合成樹脂などの剛性材によって構成されている。
【００３０】
清拭体６０は、図６〜図８に示すように、消毒液を含浸させる含浸部としての含浸材６１と、キャップ本体５０に設けられた貫通口５４を貫通する連結部６２と、該連結部６２を介して含浸部（本例では含浸材６１）と連結された操作部６３とを有している。含浸部６１は、例えばスポンジや不織布などによって構成されている。また、連結部６２及び操作部６３は、例えば合成樹脂などの剛性材によって構成されている。
【００３１】
連結部６２の先端部（下端部）は、天面壁７１の開口７２より小径の小径円柱部６２ａになっている。小径円柱部６２ａの上端には、天面壁７１の開口７２より大径の大径円柱部６２ｂが連なっている。また、大径円柱部６２ｂの上端と操作部６３とを繋ぐ部分は、円筒部６２ｃとなっている。そして、小径円柱部６２ａの外周面及び大径円柱部６２ｂの表面には、含浸材６１が例えば接着などによって取り付けられている。
【００３２】
円筒部６２ｃの外周面における上下方向中間部には、前述した貫通口５４の開口径より大径の外形寸法になる外向き環状突起６２ｄが形成されている。なお、外向き環状突起６２ｄの下部と内向き環状突起５３の上部とは、図６に示したように、それぞれ、テーパ状に形成されており、それにより、清拭体６０をキャップ本体５０に対して上方から押付けることで、外向き環状突起６２ｄが内向き環状突起５３を乗り越えて、清拭体６０がキャップ本体５０に組み付けられるようになっている。
【００３３】
連結部６２の基端部（上端部）に連結された操作部６３は、図６〜図８に示したように、２重配置となる内側円筒部６３ａと外側円筒部６３ｂとを、底部フランジ６３ｃと、周方向に間隔を空けて配置された複数の縦リブ６３ｄとによって連結して構成されている。そして、外側円筒部６３ｂの外周面には、清拭のために操作部６３を指で摘んで回転操作する際の滑り止めとなる複数の滑り止め突起６３ｅが形成されている。なお、複数の滑り止め突起６３ｅは、周方向に間隔を空けて配置されると共に、それぞれ、軸方向に延びる複数の突条として構成されている。
【００３４】
かかる構成になる本実施形態に係る消毒キャップ２によれば、図９に示したように、キャップ本体５０のキャップ側係止部（本例では雌ねじ５２）を医療用コネクタ側係止部（本例では雄ねじ７５）に係合させてキャップ本体５０の引き抜けを防止すると共に、この状態で、清拭体６０をキャップ本体５０に対して移動させて、オスコネクタ接続部７４における、天面壁７１の表面、及び天面壁７１の開口７２の内周面を含浸部（本例では含浸材６１）で清拭することができる。したがって、消毒キャップ２によれば、安定した十分な清拭を可能にすることができる。
【００３５】
また、消毒キャップ２によれば、清拭体６０は、キャップ側係止部（本例では雌ねじ５２）と医療用コネクタ側係止部（本例では雄ねじ７５）とが係合した状態で、キャップ本体５０に対して、オスコネクタ接続部７４の軸線Ｏの周りに回動可能になっているため、清拭体６０の回転による効率的な雑菌や汚れの拭き取りを可能にすることができる。
【００３６】
また、消毒キャップ２によれば、清拭体６０は、キャップ側係止部（本例では雌ねじ５２）と医療用コネクタ側係止部（本例では雄ねじ７５）とが係合した状態で、キャップ本体５０に対して、オスコネクタ接続部７４の軸線Ｏに沿って移動可能になっているため、清拭体６０をオスコネクタ接続部７４に押付けることで、より確実な雑菌や汚れの拭き取りを可能にすることができる。
【００３７】
また、消毒キャップ２によれば、清拭体６０は、キャップ側係止部（本例では雌ねじ５２）と医療用コネクタ側係止部（本例では雄ねじ７５）とが係合した状態で、少なくとも天面壁７１の開口７２の内周面を含浸部（本例では含浸材６１）で清拭するようにキャップ本体５０に対して移動可能になっているため、通常は拭き取りが困難である天面壁７１の開口７２の内周面を容易に拭き取ることが可能となる。
【００３８】
さらに、消毒キャップ２によれば、清拭体６０は、キャップ本体５０に設けられた貫通口５４を貫通する連結部６２を介して含浸部（本例では含浸材６１）と連結された操作部６３を有しているため、清拭のために操作部６３を操作する際に、清拭体６０の移動範囲を貫通口５４によって規制することができ、より安定した清拭を可能にすることができる。
【００３９】
なお、清拭体６０の移動範囲は、含浸部（本例では含浸材６１）に含浸させた消毒液が医療用コネクタ７０の流路に入り込まない範囲に規制することが好ましい。清拭体６０の移動範囲をこのような範囲に規制する場合には、清拭体６０の、医療用コネクタ７０に近づく方向への移動を、大径円柱部６２ｂの、天面壁７１に対する含浸材６１を介した当接によって規制してもよいし、操作部６３の、キャップ本体５０に対する当接によって規制してもよい。
【００４０】
前述したところは本発明の一実施形態を示したにすぎず、特許請求の範囲において、種々の変更を加えることができる。例えば、図１〜図５を用いて説明した実施形態では、天面壁４１の表面及び弁体４３の表面を含浸部（含浸材３１）で清拭するように構成したが、これに代えて、例えば、含浸部（含浸材３１）などの形状を変更して、天面壁４１の表面のみ、或いは弁体４３の表面のみを清拭するように構成してもよい。
【００４１】
また、図６〜図９を用いて説明した実施形態では、天面壁７１の表面、及び天面壁７１の開口７２の内周面を含浸部（含浸材６１）で清拭するように構成したが、これに代えて、例えば、連結部６２の先端部の小径円柱部６２ａにおける先端面（下端面）にも含浸部（含浸材６１）を配置して、弁体７３の表面も拭き取れるように構成してもよいし、或いは、小径円柱部６２ａの外周面のみに含浸部（含浸材６１）を配置して、天面壁７１の開口７２の内周面のみを清拭するように構成してもよい。
【００４２】
さらに、前述したいずれの実施形態においても、オスコネクタの接続に伴い、弁体４３，７３が押し開かれて流路が形成される構造の医療用コネクタ４０，７０を消毒キャップ１，２の清拭対象として示したが、消毒キャップ１，２の清拭対象となる医療用コネクタ４０，７０は、このような構造のものに限られず、天面壁４１，７１の開口４２，７２を閉塞する弁体４３，７３が押し込まれて流路が形成されるようになっていれば、任意の構造のものとすることができる。
【符号の説明】
【００４３】
１，２  消毒キャップ
２０  キャップ本体
２１  周壁
２２  軸方向溝
２３  周方向溝（キャップ側係止部）
２４  中間フランジ
２５  環状壁
２６  貫通口
２７  天壁
２８  筒壁
３０  清拭体
３１  含浸材（含浸部）
３２  連結部
３３  操作部
３４  フランジ
３５  複数の突起
３６  複数の凹部
４０  医療用コネクタ
４１  天面壁
４２  開口
４３  弁体
４４  オスコネクタ接続部
４５  一組の突起（医療用コネクタ側係止部）
５０  キャップ本体
５１  周壁
５２  雌ねじ（キャップ側係止部）
５３  内向き環状突起
５４  貫通口
６０  清拭体
６１  含浸材（含浸部）
６２  連結部
６２ａ  小径円柱部
６２ｂ  大径円柱部
６２ｃ  円筒部
６２ｄ  外向き環状突起
６３  操作部
６３ａ  内側円筒部
６３ｂ  外側円筒部
６３ｃ  底部フランジ
６３ｄ  複数の縦リブ
６３ｅ  複数の滑り止め突起
７０  医療用コネクタ
７１  天面壁
７２  開口
７３  弁体
７４  オスコネクタ接続部
７５  雄ねじ（医療用コネクタ側係止部）
Ｏ  軸線
【図１】
0006368603.tif 000002
【図２】
0006368603.tif 000003
【図３】
0006368603.tif 000004
【図４】
0006368603.tif 000005
【図５】
0006368603.tif 000006
【図６】
0006368603.tif 000007
【図７】
0006368603.tif 000008
【図８】
0006368603.tif 000009
【図９】
0006368603.tif 000010